【事件の表示】
　特願２００５−１５４６１７「液晶表示装置のモジュール」拒絶査定不服審判事件〔平成１７年１２月１５日出願公開、特開２００５−３４６０６１〕について、次のとおり審決する。
【結　論】
　本件審判の請求は、成り立たない。
【理　由】
理　由
１　手続の経緯・本願発明
　本願は、平成１７年５月２６日（パリ条約による優先権主張２００４年５月３１日、大韓民国）の出願であって、平成２０年９月２４日付けで手続補正がなされ、同年１１月１３日付けで拒絶査定がなされ、これに対し、平成２１年２月１６日に拒絶査定不服審判請求がなされるとともに、同日付けで手続補正がなされ、その後、当審において平成２２年４月１３日付けで拒絶理由が通知され、同年７月１６日付けで手続補正がなされ、同年８月１１日付けで拒絶理由が通知され、同年１２月６日付けで手続補正がなされたものである。
　
　そして、本願の請求項に係る発明は、平成２２年１２月６日付け手続補正による補正後の明細書、特許請求の範囲及び図面の記載からみて、特許請求の範囲の請求項１ないし４に記載された事項によって特定されるものと認められるところ、請求項１に係る発明は次のとおりである。
　
「前面に具備されて画像を表示する液晶パネルと、
　前記液晶パネルの後面に設置されて前記液晶パネルに光源を提供するバックライトアセンブリーと、
　一側面に緩衝構造を有し、前記液晶パネルが装着されるフレーム形状のパネルガイドと、
　前記液晶パネルを前面の端部で支持するトップカバーと、
　前記バックライトアセンブリーの下部面を包むボトムカバーと
　を含み、
　前記緩衝構造は、前記パネルガイドの一側面に前記液晶パネルが立てられる場合、液晶パネルの自重により押されることで発生する集中荷重を減らし、
　前記緩衝構造は、前記パネルガイドと一体型で形成され、板バネ形状に形成され、かつ複数個でなり、前記液晶パネルと接する複数の緩衝構造が前記液晶パネルの加重を受けることで同時に押され、両側が曲げられ前記パネルガイドに固定され、前記液晶パネルと接触する中央部が板状で前記液晶パネルと面接触する
　ことを特徴とする液晶表示装置のモジュール。」（以下「本願発明」という。）
　
　
２　引用刊行物の記載事項
（１）引用刊行物１
　当審において通知した拒絶理由に引用した、本願の優先日前に頒布された刊行物である特開２００１−１４２０５４号公報（以下「引用刊行物１」という。）には、図とともに下記の事項が記載されている。
　
　ア　「【０００１】
【発明の属する技術分野】本発明は，情報をディスプレイする表示分野にかかり，特に，情報をディスプレイするディスプレイ装置の一つである液晶表示モジュールを液晶表示モジュール収納用ケースに実装するとき，液晶表示モジュールの面積とケースの面積との差が最小になるようにした新しい実装構造を有する，液晶表示モジュール，液晶表示装置およびその製造方法に関する。
【０００２】
【従来の技術】近年，急速な開発が進められている表示装置の一つである液晶表示装置は，同一の有効ディスプレイ面積を有するＣＲＴ（Ｃａｔｈｏｄｅ  Ｒａｙ  Ｔｕｂｅ）方式ディスプレイ装置に比べて軽量・小型であり，ＣＲＴ方式ディスプレイ装置と略同等な高解像度を有するなどの長所から，携帯用コンピュータはもちろん，デスクトップコンピュータ及び壁掛テレビジョンなどに広く使用されている。」
　
　イ　「【００３４】本発明の液晶表示装置の一実施の形態の詳細が，図１に示されている。液晶表示装置９００は，図１に示したように，大別すると，液晶表示モジュール８００およびケース７００，そして，液晶表示モジュール８００とケース７００とが最小の面積差を有するように結合させる結合手段で構成される。
【００３５】液晶表示モジュール８００は，既述のように，液晶の配列を制御して液晶の光通過度を変化させるディスプレイユニット６００と，このディスプレイユニット６００の下部に設けられ，前記ディスプレイユニット６００側に光を供給するバックライトアセンブリ５００と，ディスプレイユニット６００とバックライトアセンブリ５００とを収納するモールドフレームと呼ばれる収納容器４００と，ディスプレイユニット６００とバックライトアセンブリ５００とを結合するシャーシ３００と構成される。
【００３６】ケース７００は，大別して，液晶表示モジュール８００の収納されるリアケース７５０と，このリアケース７５０と結合されるフロントケース７８０とで構成される。」
　
　ウ　「【００３８】（ディスプレイユニット６００）図２には，液晶表示モジュール８００の構成要素の一つであるディスプレイユニット６００が示されている。このディスプレイユニット６００は，図２に示したように，液晶表示パネル６３０と，信号処理・伝送部材６４０，６４２と，駆動プリント回路基板６５０とで構成される。
【００３９】前記液晶表示パネル６３０は，図示したように，ＴＦＴ基板６２０と，カラーフィルタ基板６１０と，液晶６１５と，ＴＦＴ基板６２０の下面及びカラーフィルタ基板６１０の上面に取付けられた偏光板（図示せず）とで構成される。」
　
　エ　「【００５６】（バックライトアセンブリ５００）バックライトアセンブリ５００は，図１に示したように，大別すると，ランプユニット５１０と，導光板５２０と，反射板５３０と，拡散シート５４０とで構成される。
・・・
【００６１】前記バックライトアセンブリ５００およびディスプレイユニット６００が収納されるモールドフレーム４００は，ケース７００に収納されて直接接触する部分で，液晶表示モジュール８００の面積とケース７００の面積との差を最小にするための特殊な構造を有する。」
　
　オ　「【００６２】（モールドフレーム４００）図１，図３および図４を参照してモールドフレーム４００の形状および構造を詳細に説明する。モールドフレーム４００は，上面が開口され，内部に前記バックライトアセンブリの構成要素が収納可能な程度の空間が形成される。より具体的には，モールドフレーム４００は，所定の高さを有する４つの側壁と，この４つの側壁と連結された１つの底面を有する形状となっている。」
　
　カ　「【００７２】このような構成の液晶表示モジュール８００がケース７００に結合されることにより，図８に示したように，液晶表示装置９００の組み立てが完成する。
【００７３】（ケース７００）ケース７００は，前述のように，液晶表示モジュール８００が固定されるリアケース７５０と，このリアケース７５０と結合され，液晶表示モジュール８００の構成要素であるディスプレイユニット６００の有効表示領域が定義されるように開口が形成されたフロントケース７８０とで構成される。
・・・
【００８７】・・・図１３または図１４に示したように，液晶表示モジュール８００が仮収納されたリアケース７５０には，フロントケース７８０の底面が液晶表示モジュール８００に向けてロントケースボス（当審注：「フロントケースボス」の誤りと認める。）７８２とリアケースボス７３０がアライメントされた状態で，フロントケース７８０とリアケース７５０とが結合される。」
　
　キ　「フロントケース７８０」は、「ディスプレイユニット６００」の「液晶表示パネル」の表示面の端部を、「シャーシ３００」を介して支持すること、を図１４からみて取れる。
　
　よって、これらの記載を総合すると、引用刊行物１には、次の発明（以下「引用発明１」という。）が記載されていると認められる。
　
「液晶表示モジュール８００およびケース７００、そして、液晶表示モジュール８００とケース７００とが最小の面積差を有するように結合させる結合手段で構成される液晶表示装置９００であって、
　液晶表示モジュール８００は、液晶の配列を制御して液晶の光通過度を変化させるディスプレイユニット６００と、このディスプレイユニット６００の下部に設けられ、前記ディスプレイユニット６００側に光を供給するバックライトアセンブリ５００と、ディスプレイユニット６００とバックライトアセンブリ５００とを収納するモールドフレームと呼ばれる収納容器４００と、ディスプレイユニット６００とバックライトアセンブリ５００とを結合するシャーシ３００とで構成され、
　ディスプレイユニット６００は、液晶表示パネル６３０と、信号処理・伝送部材６４０、６４２と、駆動プリント回路基板６５０とで構成され、
　ケース７００は、大別して、液晶表示モジュール８００の収納されるリアケース７５０と、このリアケース７５０と結合されるフロントケース７８０とで構成され、
　液晶表示モジュール８００がケース７００に結合されることにより、液晶表示装置９００の組み立てが完成し、フロントケース７８０は、ディスプレイユニット６００の液晶表示パネルの表示面の端部を、シャーシ３００を介して支持する、液晶表示装置９００。」
　
（２）引用刊行物２
　当審において通知した拒絶理由に引用した、本願の優先日前に頒布された刊行物である特開２００１−８３８８７号公報（以下「引用刊行物２」という。）には、図とともに下記の事項が記載されている。
　
　ア　「【０００１】
【発明の属する技術分野】本発明は、液晶表示装置の実装構造に関し、特に、耐衝撃性が要求される携帯型装置における液晶表示装置の実装構造に関する。」
　
　イ　「【００１７】図１は、本発明にかかる液晶表示装置の実装構造の第１実施例を示し、液晶表示面が下側を向いた状態で描かれている。
【００１８】この液晶表示装置の実装構造は、ＬＣＤ２を図示しない携帯型装置等の筐体の一部としての上ケース１に実装するためのものであって、位置決めリブ１ｂ、第１緩衝材３、ブラケット４、第２緩衝材６等で構成される。
【００１９】上ケース１は図示しない下ケースとで携帯型装置の筐体を構成し、ＡＢＳ樹脂やＡＢＳ樹脂にカーボンファイバーまたはガラスファイバー、無機フィラー等を添加した樹脂モールドで成型したり、マグネシウム合金やアルミニウム合金等で形成することができる。上ケース１は、平面矩形状の表示画面用窓１ａを有し、その裏面のＬＣＤ２の外形寸法から外側方向に４〜５ｍｍ離れたところに位置決めリブ１ｂを備える。
【００２０】位置決めリブ１ｂは、図１においてＬＣＤ２の水平方向の動きを規制するために備えられ、この位置決めリブ１ｂの高さは、第２緩衝材６及びＬＣＤ２と同一高さになっていることが望ましい。
【００２１】また、ＬＣＤ２と上ケース１の間には第１緩衝材３が介装され、位置決めリブ１ｂの側面とＬＣＤ２の側面との間には第２緩衝材６が介装される。
【００２２】上記第１緩衝材３及び第２緩衝材６は、経年変化の少ないシリコンゴム、単発泡性等のゴム材、発泡スチロール等の弾性のある材料で形成され、ＬＣＤ２の自重によって変形しない程度の硬度を有するものが好適である。
【００２３】さらに、図２に示すように、ＬＣＤ２の上下方向を固定するため、ブラケット４がＬＣＤ２の裏側から第１緩衝材３を取り付けた上ケース１とでＬＣＤ２を挟み込む形で、上ケース１にねじ５を介して固定される。
・・・
【００２５】上記構成により、ＬＣＤ２の水平方向及び上方向は緩衝材３、６を介して保持されるため、装置の外部からの衝撃に対して緩衝材３、６を介してＬＣＤに衝撃が伝わる。
【００２６】また、水平方向のＬＣＤ２の周囲に位置する第２緩衝材６には一定の反力を持たせる。すなわち、第２緩衝材６を５〜１０％圧縮させて実装することにより、ＬＣＤ２が上ケース１の表示画面用窓１ａの中心位置からずれることを防ぐことができる。」
　
　よって、これらの記載を総合すると、引用刊行物２には、次の発明（以下「引用発明２」という。）が記載されていると認められる。
　
「ＬＣＤ２を携帯型装置等の筐体の一部としての上ケース１に実装するための液晶表示装置の実装構造であって、
　上ケース１は、平面矩形状の表示画面用窓１ａを有し、その裏面のＬＣＤ２の外形寸法から外側方向に４〜５ｍｍ離れたところに位置決めリブ１ｂを備え、
　ＬＣＤ２と上ケース１の間には第１緩衝材３が介装され、位置決めリブ１ｂの側面とＬＣＤ２の側面との間には第２緩衝材６が介装され、上記第１緩衝材３及び第２緩衝材６は、経年変化の少ないシリコンゴム、単発泡性等のゴム材、発泡スチロール等の弾性のある材料で形成され、ＬＣＤ２の自重によって変形しない程度の硬度を有するものであり、
　ＬＣＤ２の水平方向及び上方向は緩衝材３、６を介して保持されるため、装置の外部からの衝撃に対して緩衝材３、６を介してＬＣＤに衝撃が伝わる、液晶表示装置の実装構造。」
　
　
３　対比
　本願発明と引用発明１を対比する。
　
　引用発明１の「液晶表示装置９００」は、「液晶表示モジュール８００およびケース７００、そして、液晶表示モジュール８００とケース７００とが最小の面積差を有するように結合させる結合手段で構成される」ものであって、「液晶表示モジュール８００は、・・・ディスプレイユニット６００と、このディスプレイユニット６００の下部に設けられ、前記ディスプレイユニット６００側に光を供給するバックライトアセンブリ５００と、ディスプレイユニット６００とバックライトアセンブリ５００とを収納するモールドフレームと呼ばれる収納容器４００と、・・・で構成され」、「ディスプレイユニット６００は、液晶表示パネル６３０と、・・・で構成され」、「ケース７００は、・・・液晶表示モジュール８００の収納されるリアケース７５０と、このリアケース７５０と結合されるフロントケース７８０とで構成され」、「フロントケース７８０は、ディスプレイユニット６００の液晶表示パネルの表示面の端部を、シャーシ３００を介して支持する」ものであるから、
（１）引用発明１の「液晶表示パネル６３０」、「（ディスプレイユニット６００の下部に設けられ，前記ディスプレイユニット６００側に光を供給する）バックライトアセンブリ５００」、「（液晶表示パネルの表示面の端部を、シャーシ３００を介して支持する）フロントケース７８０」及び「液晶表示装置９００」は、それぞれ、本願発明の「（前面に具備されて画像を表示する）液晶パネル」、「（前記液晶パネルの後面に設置されて前記液晶パネルに光源を提供する）バックライトアセンブリー」、「（前記液晶パネルを前面の端部で支持する）トップカバー」及び「液晶表示装置のモジュール」に相当し、
（２）引用発明１の「（ディスプレイユニット６００・・・を収納するモールドフレームと呼ばれる）収納容器４００」は、本願発明の「一側面に緩衝構造を有し、前記液晶パネルが装着されるフレーム形状のパネルガイド」と、「前記液晶パネルが装着されるフレーム形状のパネルガイド」である点で一致し、
（３）引用発明１の「リアケース７５０」は、本願発明１の「前記バックライトアセンブリーの下部面を包むボトムカバー」と、「ボトムカバー」である点で一致し、
（４）引用発明１の「『液晶表示装置９００』は、『液晶表示パネル６３０』、『バックライトアセンブリ５００』、『収納容器４００』、『フロントケース７８０』、『リアケース７５０』を含む」との事項と、本願発明の「（液晶表示装置のモジュールは、）前面に具備されて画像を表示する液晶パネルと、前記液晶パネルの後面に設置されて前記液晶パネルに光源を提供するバックライトアセンブリーと、一側面に緩衝構造を有し、前記液晶パネルが装着されるフレーム形状のパネルガイドと、前記液晶パネルを前面の端部で支持するトップカバーと、前記バックライトアセンブリーの下部面を包むボトムカバーとを含み」との事項とは、「（液晶表示装置のモジュールは、）前面に具備されて画像を表示する液晶パネルと、前記液晶パネルの後面に設置されて前記液晶パネルに光源を提供するバックライトアセンブリーと、前記液晶パネルが装着されるフレーム形状のパネルガイドと、前記液晶パネルを前面の端部で支持するトップカバーと、ボトムカバーとを含み」との点で一致する。
　
　したがって、本願発明と引用発明１とは、　  
「前面に具備されて画像を表示する液晶パネルと、
　前記液晶パネルの後面に設置されて前記液晶パネルに光源を提供するバックライトアセンブリーと、
　前記液晶パネルが装着されるフレーム形状のパネルガイドと、
　前記液晶パネルを前面の端部で支持するトップカバーと、
　ボトムカバーと
　を含む、液晶表示装置のモジュール。」
である点で一致し、次の点で相違する。　  
 　 
相違点
［相違点１］
　本願発明は、パネルガイドが、一側面に緩衝構造を有し、前記緩衝構造が、前記パネルガイドの一側面に液晶パネルが立てられる場合、液晶パネルの自重により押されることで発生する集中荷重を減らし、前記パネルガイドと一体型で形成され、板バネ形状に形成され、かつ複数個でなり、前記液晶パネルと接する複数の緩衝構造が前記液晶パネルの加重を受けることで同時に押され、両側が曲げられ前記パネルガイドに固定され、前記液晶パネルと接触する中央部が板状で前記液晶パネルと面接触するのに対し、引用発明１は、パネルガイドがそのような緩衝構造を有していない点。
［相違点２］
　ボトムカバーが、本願発明では、バックライトアセンブリーの下部面を包むのに対し、引用発明１では、バックライトアセンブリーの下部面を包んではいない点。
　
　
４　判断
　上記相違点につき検討する。
　
［相違点１］について
　引用発明１の「液晶表示装置９００」を、例えばテレビのように、その「液晶表示パネル６３０」を立てて用いることは当業者において明らかである。
　しかるところ、上記２（２）によれば、引用刊行物２には、引用発明２が記載され、「ＬＣＤ２」の側面と「（上ケース１の）位置決めリブ１ｂ」の側面との間に弾性のある材料で形成された「第２緩衝材６」を介装して「ＬＣＤ２」への衝撃を低減することが示され、また、フラットディスプレーをその支持部材に装着する際に弾性を有する複数の板バネを用いるものは本願の優先日時点で周知であり（例えば、特開２００２−３２８６２３号公報（【００３１】〜【００３４】、図１）、特開平３−２８３２３２号公報（第３頁左上欄第１４行〜同頁右上欄第１２行、第１図）参照。）、液晶表示素子の取付けをホルダ（ケース）と一体に形成された弾性片で行うものは本願の優先日時点で周知であるから（例えば、実願平２−７０７９８号（実開平４−２８６８６号）のマイクロフィルム（第４頁第１行〜第５頁第９行、第１図〜第３図）、実願昭５４−１２８９８２号（実開昭５６−４７５６５号）のマイクロフィルム（第２頁第１１行〜第３頁第１５行、第２図）参照。）、引用文献１の「液晶表示装置９００」において、「液晶表示パネル６３０」への衝撃を低減するために該「液晶表示パネル６３０」の側面とこれを収納する「収納容器４００」との間に緩衝材を介装し、その緩衝材として「収納容器４００」と一体型で形成された複数の板バネを用いて、「液晶表示パネル６３０」が立てられる場合にその自重により押されることで発生する集中荷重を減らすようなものとすることは当業者が容易になし得ることである。そして、その際、板バネの構造を具体的にどのようなものとするかは、当業者が設計上適宜に定めることのできる事項というべきところ、本願明細書には、本願発明において、「緩衝構造」を「両側が曲げられ前記パネルガイドに固定され、前記液晶パネルと接触する中央部が板状で前記液晶パネルと面接触する」もので構成することの技術的意義はもとより、そのような構成とすること自体記載されていないことに照らすと、上記板バネとして、「両側が曲げられ前記パネルガイドに固定され、前記液晶パネルと接触する中央部が板状で前記液晶パネルと面接触する」ものを用いた点に設計的事項の域を超えるほどの格別の技術的意義があるものとは認められないから、そのような板バネを用いて上記相違点１に係る本願発明の構成となすことは当業者が適宜になし得ることである。
［相違点２］について
　引用発明１の「リアケース７５０」は、「（・・・ディスプレイユニット６００と，このディスプレイユニット６００の下部に設けられ・・・るバックライトアセンブリ５００を含む）液晶表示モジュール８００」を収納するものであるから、当該「リアケース７５０」を、「バックライトアセンブリ５００」の下部面を直接包むようなものとなして、上記相違点２に係る本願発明の構成となすことは、当業者が容易になし得ることである。
　
　そして、本願発明によってもたらされる効果は、引用発明１、２及び上記周知技術から当業者が予測し得る程度のものである。
　
　したがって、本願発明は、引用刊行物１、２に記載された発明及び周知技術に基いて当業者が容易に発明をすることができたものである。
　
　
５　むすび
　以上のとおり、本願発明は、引用刊行物１、２に記載された発明及び周知技術に基いて当業者が容易に発明をすることができたものであるから、特許法第２９条第２項の規定により特許を受けることができない。
　
　よって、結論のとおり審決する。